(57)【要約】【課題】貯湯槽に貯湯されたお湯を積極的に有効利用することで、燃料電池の発電を停止継続することなく、燃料電池が効率的な発電を行えるための温水供給装置を提供する。【解決手段】燃料電池排熱による湯を貯える貯湯槽１と、貯湯槽１の複数箇所に設けた温度検出手段２と、前記貯湯槽１から出湯する湯の温度を設定するリモコン３と、前記貯湯槽１の出湯を制御し、出湯水を給湯配管４もしくは洗濯機注水部６へ供給するよう切り替える洗濯機注水切替制御部５とを備え、洗濯機注水切替制御部５は温度検出手段２により得た計測の結果、貯湯槽内１の湯が任意温度以上かつ任意量以上ある場合のみ洗濯機注水部６への供給を行うことで貯湯槽のお湯を積極的に利用し、燃料電池による発電の停止の継続を少なくする。【選択図】  図１
2004333022.tif 000002
【特許請求の範囲】
【請求項１】
燃料電池排熱による湯を貯える貯湯槽と、前記貯湯槽の複数箇所に設けた温度検出手段と、前記貯湯槽から出湯する湯の温度を設定するリモコンと、前記貯湯槽の出湯を制御し、出湯水を給湯配管もしくは洗濯機注水部へ供給するよう切り替える洗濯機注水切替制御部とを備え、前記洗濯機注水切替制御部は、前記温度検出手段により検出された貯湯槽内の湯が所定温度以上、かつ所定量以上ある場合のみ、前記洗濯機注水部への供給を行うことを特徴とする温水供給装置。
【請求項２】
洗濯機注水切替制御部には、貯湯槽の湯が所定温度以上、かつ所定量以上ある場合のみ、洗濯機注水部への供給を行うか否かを選択できる連動／非連動選択手段を有することを特徴とする請求項１記載の温水供給装置。
【請求項３】
洗濯機注水切替制御部には、洗濯機注水部への供給を行うか否かを判定する温度及び湯量を任意に設定可能な温度設定手段及び湯量設定手段のどちらか一方もしくは両方を有することを特徴とする請求項１または２記載の温水供給装置。
【請求項４】
連動／非連動選択手段もしくは温度設定手段もしくは湯量設定手段をリモコンに有することを特徴とする請求項２または３記載の温水供給装置。
【請求項５】
燃料電池排熱による湯を貯える貯湯槽と、前記貯湯槽の複数箇所に設けた温度検出手段と、前記貯湯槽から出湯する湯の温度を設定するリモコンと、前記貯湯槽の出湯を制御し、出湯水を給湯配管もしくは食器洗浄機注水部へ供給するよう切り替える食器洗浄機注水切替制御部とを備え、前記食器洗浄機注水切替制御部は、前記温度検出手段により検出された貯湯槽内の湯が所定温度以上、かつ所定量以上ある場合のみ、食器洗浄機注水部への供給を行うことを特徴とする温水供給装置。
【請求項６】
食器洗浄機注水切替制御部には、貯湯槽の湯が所定温度以上、かつ所定量以上ある場合のみ、食器洗浄機注水部への供給を行うか否かを選択できる連動／非連動選択手段を有することを特徴とする請求項５記載の温水供給装置。
【請求項７】
食器洗浄機注水切替制御部には、食器洗浄機注水部への供給を行うか否かを判定する温度及び湯量を任意に設定可能な温度設定手段及び湯量設定手段のどちらか一方もしくは両方を有することを特徴とする請求項５または６記載の温水供給装置。
【請求項８】
記連動／非連動選択手段もしくは温度設定手段もしくは湯量設定手段をリモコンに有することを特徴とする請求項６または請求項７記載の温水供給装置。
【発明の詳細な説明】
【０００１】
【発明の属する技術分野】
本発明は、燃料電池排熱による湯を貯える貯湯槽と貯湯槽に貯えられた貯湯水を給湯して利用する装置に関するものである。
【０００２】
【従来の技術】
従来、この種の温水供給装置は図９に示すような構成をしていた。すなわち、燃料電池１０１の排熱を蓄熱する温水タンク１０２内に熱交換器１０３が設けられ、燃料電池１０１の排熱を回収する媒体を熱交換器へ供給する配管１０４は閉ループをなすように設置されている。温水タンク１０２の下部には給水管１０５が、上部には給湯管１０６が連結されている。温水タンク内１０２には複数の温度センサ１０７〜１１０が設けられ、給水管内には温度センサ１１１が装備されている。制御装置１１２は各温度センサの検出信号に基づいて温水タンク内１０２の蓄熱量を演算し、該蓄熱量が最大蓄熱量に達している場合、燃料電池１０１の発電を停止するように発電装置１１３を制御していた（例えば、特許文献１参照）。
【０００３】
【特許文献１】
特開２００２−７５３９２号公報
【０００４】
【発明が解決しようとする課題】
しかしながら上記従来の構成においては、電気負荷が増え、電気使用量が増えたにもかかわらず、蓄熱量が最大蓄熱量に達している場合、燃料電池の発電を停止するように発電装置を制御していたため、燃料電池発電を有効に活用できないという課題があった。
【０００５】
そこで本発明は、上述したこのような従来の燃料電池システムが有する課題を考慮して、温水供給装置において、蓄熱量が最大蓄熱量に達している場合、お湯を捨てる事無く、積極的に蓄えられたお湯を使用し、増えた電気負荷に対し、それを出来る限り賄うように燃料電池による発電を行い、燃料電池使用効率を最大限向上させる温水供給装置を提供することを目的とするものである。
【０００６】
【課題を解決するための手段】
上記従来の課題を解決するため本発明の温水供給装置は、燃料電池排熱による湯を貯える貯湯槽と、前記貯湯槽の複数箇所に設けた温度検出手段と、前記貯湯槽から出湯する湯の温度を設定するリモコンと、前記貯湯槽の出湯を制御し、出湯水を給湯配管もしくは洗濯機注水部へ供給するよう切り替える洗濯機注水切替制御部とを備え、前記洗濯機注水切替制御部は、前記温度検出手段により検出された貯湯槽内の湯が所定温度以上、かつ所定量以上ある場合のみ、前記洗濯機注水部への供給を行うようにしてある。
【０００７】
上記発明によれば、貯湯槽に所定温度以上、かつ所定量以上のお湯が蓄えていた場合、このお湯を洗濯機に使用して貯湯槽のお湯を少なくすることで燃料電池が発電を開始できることとなる。それにより電気負荷が増えているにも係わらず燃料電池発電を停止した状態が継続することがなくなるため、燃料電池の効率利用が可能となる。
【０００８】
【発明の実施の形態】
請求項１記載の発明は、燃料電池排熱による湯を貯える貯湯槽と、前記貯湯槽の複数箇所に設けた温度検出手段と、前記貯湯槽から出湯する湯の温度を設定するリモコンと、前記貯湯槽の出湯を制御し、出湯水を給湯配管もしくは洗濯機注水部へ供給するよう切り替える洗濯機注水切替制御部とを備え、前記洗濯機注水切替制御部は、前記温度検出手段により検出された貯湯槽内の湯が所定温度以上、かつ所定量以上ある場合のみ、前記洗濯機注水部への供給を行うようにしたことを特徴としたものであり、貯湯槽に任意温度以上かつ任意量以上のお湯が蓄えていた場合、このお湯を洗濯機に使用して貯湯槽のお湯を少なくすることで燃料電池が発電を開始できることとなる。それにより電気負荷が増えているにも係わらず燃料電池発電を停止した状態が継続することがなくなるため、燃料電池の効率利用が可能となる。
【０００９】
請求項２記載の発明は、洗濯機注水切替制御部には、貯湯槽の湯が所定温度以上、かつ所定量以上ある場合のみ、洗濯機注水部への供給を行うか否かを選択できる連動／非連動選択手段を有することを特徴としたものであり、お湯が貯まっている場合は積極的にお湯を利用し、貯まっていない場合は積極的にお湯を利用することの無いようにすることを使用者が選択でき、燃料電池の効率的利用を行うことが可能となる。
【００１０】
請求項３に記載の発明は、洗濯機注水切替制御部には洗濯機注水部への供給を行うか否かを判定する温度及び湯量を任意に設定可能な温度設定手段及び湯量設定手段のどちらか一方もしくは両方を有することを特徴としたものであり、貯湯槽のお湯を最大限に効率良く使用する条件を作り出すことができる。それにより燃料電池発電をも最大限に効率よく起動させる条件をつくりだせることとなる。
【００１１】
請求項４に記載の発明は、連動／非連動選択手段もしくは温度設定手段もしくは湯量設定手段をリモコンに有することを特徴としたものであり、使用者がより一層簡単に燃料電池効率利用条件を設定できることとなる。
【００１２】
請求項５に記載の発明は、燃料電池排熱による湯を貯える貯湯槽と、前記貯湯槽の複数箇所に設けた温度検出手段と、前記貯湯槽から出湯する湯の温度を設定するリモコンと、前記貯湯槽の出湯を制御し、出湯水を給湯配管もしくは食器洗浄機注水部へ供給するよう切り替える食器洗浄機注水切替制御部とを備え、前記食器洗浄機注水切替制御部は、前記温度検出手段により検出された貯湯槽内の湯が所定温度以上、かつ所定量以上ある場合のみ、食器洗浄機注水部への供給を行うことを特徴としたものであり、貯湯槽に所定温度以上、かつ所定量以上のお湯が蓄えていた場合、このお湯を食器洗浄機に使用して貯湯槽のお湯を少なくすることで燃料電池が発電を開始できることとなる。それにより電気負荷が増えているにも係わらず燃料電池発電を停止した状態が継続することがなくなるため、燃料電池の効率利用が可能となる。
【００１３】
請求項６に記載の発明は、貯湯槽の湯が所定温度以上、かつ所定量以上ある場合のみ、洗濯機注水部への供給を行うこととするか否かを選択できる連動／非連動選択手段を有することを特徴としたものであり、お湯が貯まっている場合は積極的にお湯を利用し、貯まっていない場合は積極的にお湯を利用することの無いようにすることを使用者が選択でき、燃料電池の効率的利用を行うことが可能となる。
【００１４】
請求項７に記載の発明は、洗濯機注水切替制御部には食器洗浄機注水部への供給を行うか否かを判定する温度及び湯量を任意に設定可能な温度設定手段及び湯量設定手段のどちらか一方もしくは両方を有することを特徴としたものであり、貯湯槽のお湯を最大限に効率良く使用する条件を作り出すことができる。それにより燃料電池発電をも最大限に効率よく起動させる条件をつくりだせることとなる。
【００１５】
請求項８に記載の発明は、連動／非連動選択手段もしくは温度設定手段もしくは湯量設定手段をリモコンに有することを特徴としたものであり、使用者がより一層簡単に燃料電池効率利用条件を設定できることとなる。
【００１６】
【実施例】
以下、本発明の一実施例について、図面を参照しながら説明する。
【００１７】
（実施例１）
図１は本発明の実施例１における温水供給装置の構成図を示すものである。
【００１８】
図１において、１は燃料電池排熱による湯を貯える貯湯槽、２は貯湯槽の複数箇所に設けた温度検出手段、３は貯湯槽から出湯する湯の温度を設定するリモコン、５は貯湯槽の出湯を制御し、出湯水を給湯配管４もしくは洗濯機注水部６へ供給するよう切り替える洗濯機注水切替制御部である。
【００１９】
以上のように構成された温水供給装置について、以下その動作、作用を説明する。
【００２０】
燃料電池排熱による湯を貯えた貯湯槽１はリモコン３で設定された温度となるように出湯を制御され、そのお湯を給湯配管４に供給する。燃料電池排熱による湯を貯える貯湯槽１には上部から下部にかけ複数箇所、温度検出手段２（サーミスタ等）ａ〜ｃを設けてられている。その温度検出手段２ａ〜ｃにより貯湯槽のどの位置まで任意温度（例えばリモコンで設定できる最高温度）以上の分布になっているかを計測する。その計測結果と貯湯槽の容量により、任意温度以上かつ任意量以上のお湯がたまっているかを判定する。その結果、あらかじめ決めておいた温度以上かつ湯量である場合は洗濯機注水切替制御部５が洗濯機注水部６へも供給するよう切り替える。以上のように上記発明によれば貯湯槽に任意温度以上かつ任意量以上のお湯が蓄えていた場合、このお湯を洗濯機に使用して貯湯槽のお湯を少なくすることで燃料電池が発電を開始できることとなる。それにより電気負荷が増えているにも係わらず燃料電池発電を停止した状態が継続することなくなるため、燃料電池の効率利用が可能となる。
【００２１】
（実施例２）
図２は、本発明の実施例２における温水供給装置の構成図を示すものである。洗濯機注水切替制御部５には前記貯湯槽１の湯が任意温度以上かつ任意量以上ある場合のみ洗濯機注水部６への供給を行うこととするか否かを選択できる連動／非連動選択手段７を有する。これによりお湯が貯まっている場合は積極的にお湯を利用し、貯まっていない場合は積極的にお湯を利用することの無いようにすることを使用者が選択でき、燃料電池の効率的利用を行うことが可能となる。
【００２２】
（実施例３）
図３は、本発明の実施例あにおける温水供給装置の構成図を示すものである。洗濯機注水切替制御部５には温度検出手段２により計測判定する湯の温度を任意に設定できる温度設定手段８および湯の量を任意に設定できる湯量設定手段９のどちらか一方もしくは両方を有する。これにより貯湯槽のお湯を最大限に効率良く使用する条件を作り出すことができ、燃料電池発電をも最大限に効率よく起動させる条件をつくりだせることとなる。
【００２３】
（実施例４）
図４は、本発明の実施例４における温水供給装置の構成図を示すものである。連動／非連動選択手段７もしくは温度設定手段８もしくは湯量設定手段９をリモコン３に有することにより、使用者がよりいっそう簡単に燃料電池効率利用条件を設定できることとなる。
【００２４】
（実施例５）
図５は、本発明の実施例５における温水供給装置の構成図を示すものである。図５において、１は燃料電池排熱による湯を貯える貯湯槽、２は貯湯槽の複数箇所に設けた温度検出手段、３は貯湯槽から出湯する湯の温度を設定するリモコン、１０は貯湯槽の出湯を制御し、出湯水を給湯配管４もしくは食器洗浄機注水部１１へ供給するよう切り替える食器洗浄機注水切替制御部である。
【００２５】
以上のように構成された温水供給装置について、以下その動作、作用を説明する。
【００２６】
燃料電池排熱による湯を貯えた貯湯槽１はリモコン３で設定された温度となるように出湯を制御され、そのお湯を給湯配管４に供給する。燃料電池排熱による湯を貯える貯湯槽１には上部から下部にかけ複数箇所、温度検出手段２（サーミスタ等）ａ〜ｃが設けてられている。その温度検出手段２ａ〜ｃにより貯湯槽のどの位置まで任意温度（例えばリモコンで設定できる最高温度）以上の分布になっているかを計測する。その計測結果と貯湯槽の容量により、任意温度以上かつ任意量以上のお湯がたまっているかを判定する。その結果、あらかじめ決めておいた温度以上かつ湯量である場合は食器洗浄機注水切替制御部１０が洗濯機注水部１１へも供給するよう切り替える。以上のように上記発明によれば貯湯槽に任意温度以上かつ任意量以上のお湯が蓄えていた場合、このお湯を食器洗浄機に使用して貯湯槽のお湯を少なくすることで燃料電池が発電を開始できることとなる。それにより電気負荷が増えているにも係わらず燃料電池発電を停止した状態が継続することなくなるため、燃料電池の効率利用が可能となる。
【００２７】
（実施例６）
図６は、本発明の実施例６における温水供給装置の構成図を示すものである。食器洗浄機注水切替制御部１０には前記貯湯槽１の湯が任意温度以上かつ任意量以上ある場合のみ食器洗浄機注水部１１への供給を行うこととするか否かを選択できる連動／非連動選択手段７を有する。これによりお湯が貯まっている場合は積極的にお湯を利用し、貯まっていない場合は積極的にお湯を利用することの無いようにすることを使用者が選択でき、燃料電池の効率的利用を行うことが可能となる。
【００２８】
（実施例７）
図７は、本発明の実施例７における温水供給装置の構成図を示すものである。食器洗浄機注水切替制御部１０には温度検出手段２により計測判定する湯の温度を任意に設定できる温度設定手段８および湯の量を任意に設定できる湯量設定手段９のどちらか一方もしくは両方を有する。これにより貯湯槽のお湯を最大限に効率良く使用する条件を作り出すことができ、燃料電池発電をも最大限に効率よく起動させる条件をつくりだせることとなる。
【００２９】
（実施例８）
図８は、本発明の実施例８における温水供給装置の構成図を示すものである。連動／非連動選択手段７もしくは温度設定手段８もしくは湯量設定手段９をリモコン３に有することにより、使用者がよりいっそう簡単に燃料電池効率利用条件を設定できる。
【００３０】
【発明の効果】
以上説明したことから明らかなように、本発明によれば貯湯槽に所定温度以上、かつ所定量以上のお湯が蓄えていた場合、このお湯を洗濯機に使用して貯湯槽のお湯を少なくすることで燃料電池が発電を開始できることとなる。それにより電気負荷が増えているにも係わらず燃料電池発電を停止した状態が継続することがなくなるため、燃料電池の効率利用が可能となる。
【００３１】
また、貯湯槽に貯えられたお湯を洗濯機のみならず、食器洗浄機に使用する場合も上記と同様の効果が得られるものである。
【図面の簡単な説明】
【図１】本発明の実施例１における温水供給装置を示す構成図
【図２】本発明の実施例２における温水供給装置を示す構成図
【図３】本発明の実施例３における温水供給装置を示す構成図
【図４】本発明の実施例４における温水供給装置を示す構成図
【図５】本発明の実施例５における温水供給装置を示す構成図
【図６】本発明の実施例６における温水供給装置を示す構成図
【図７】本発明の実施例７における温水供給装置を示す構成図
【図８】本発明の実施例８における温水供給装置を示す構成図
【図９】従来の温水供給装置を示す構成図
【符号の説明】
１  貯湯槽
２ａ、ｂ、ｃ  温度検出手段
３  リモコン
４  給湯配管
５  洗濯機注水切替制御部
６  洗濯機注水部
７  連動／非連動洗濯手段
８  温度設定手段
９  湯量設定手段
１０  食器洗浄機注水切替制御部
１１  食器洗浄機注水部
【図１】
2004333022.tif 000003
【図２】
2004333022.tif 000004
【図３】
2004333022.tif 000005
【図４】
2004333022.tif 000006
【図５】
2004333022.tif 000007
【図６】
2004333022.tif 000008
【図７】
2004333022.tif 000009
【図８】
2004333022.tif 000010
【図９】
2004333022.tif 000011